(57)【要約】  本発明は、バイオマスを調製して生成されたスラリー体を、超臨界状態で分解処理して燃料ガスを生成するガス化システムに関し、バイオマスのガス化を効率よく行うことを目的とする。  本発明のガス化システム１０では、超臨界状態の高温流体とスラリー体とを熱交換することでスラリー体を加熱する熱交換器３１と、熱交換器３１からのスラリー体を加熱し、前記超臨界状態の高温流体を生成するガス化反応器３３とを備え、熱交換器３１の高温流路３７には、ガス化反応器３３で生成された高温流体を流通させ、低温流路３６は、スラリー体を流通させる第１ブロック３６ａと、別系統の熱機関で利用される、高温流体よりも低圧の流体を流通させる第２ブロック３６ｂとに分割され、第１ブロック３６ａでは、定圧比熱が所定値以下となる温度域でスラリー体と高温流体とが熱交換される。第２ブロックは第１ブロック以外の部分に設けられる。
2016139723.tif 000002
【特許請求の範囲】
【請求項１】
バイオマスを調製して生成されたスラリー体を、超臨界状態で分解処理して燃料ガスを生成するガス化システムであって、
超臨界状態の高温流体が導入され、前記高温流体と前記スラリー体とを熱交換することで前記スラリー体を加熱する熱交換器と、
前記熱交換器から送出された前記スラリー体を加熱し、前記超臨界状態の高温流体を生成するガス化反応器とを備え、
前記熱交換器は、高温流路及び低温流路によって構成され、
前記高温流路には、前記ガス化反応器で生成された前記高温流体を流通させ、
前記低温流路は、前記スラリー体を流通させる第１ブロックと、別系統の熱機関で利用される、前記高温流体よりも低圧の流体を流通させる第２ブロックとに分割され、
前記第１ブロックは、定圧比熱が所定値以下となる温度域で前記スラリー体と前記高温流体とが熱交換されるように設けられ、
前記第２ブロックは、前記第１ブロック以外の部分に設けられる、ガス化システム。
【請求項２】
前記別系統の熱機関で利用される前記流体は水蒸気であり、
前記別系統の熱機関は、前記第２ブロックを流通することで生成された水蒸気を動力とする蒸気タービンを含む、請求項１に記載のガス化システム。
【請求項３】
前記ガス化反応器から排出される排ガスが流通され、前記蒸気タービンでの仕事を終えた水蒸気の凝集で得られた水と前記排ガスとを熱交換させる排気ダクトを備える、請求項２に記載のガス化システム。
【発明の詳細な説明】
【技術分野】
【０００１】
本発明は、バイオマスを調製して生成されたスラリー体を、超臨界状態で分解処理して燃料ガスを生成するガス化システムに関する。
【背景技術】
【０００２】
超臨界状態でバイオマスを分解処理して燃料ガスを得るガス化装置が知られている。例えば、特許文献１には、非金属系触媒を含んだバイオマスのスラリー体を温度３７４℃以上、圧力２２．１ＭＰａ以上の条件下で水熱処理し、生成された燃料ガスを利用して発電装置で発電し、発電装置からの排熱を利用してスラリー体を加熱するバイオマスガス化発電システムが記載されている。
【先行技術文献】
【特許文献】
【０００３】
【特許文献１】特開２００８−２４６３４３号公報
【発明の概要】
【発明が解決しようとする課題】
【０００４】
図７は、一般的なバイオマスガス化発電システムを説明する図である。同図に示すように、このガス化システム２は、熱交換器３、加熱器４、及びガス化反応器５を含んで構成される。これら各部の中で、熱交換器３は、スラリー状の原料（スラリー体）を加熱する装置である。このスラリー体は、例えば、焼酎残渣、採卵鶏糞、汚泥等のバイオマスに、水及び活性炭（触媒）を加えて混合することで調製される。加熱器４は、熱交換器３で加熱されたスラリー体をガス化反応温度（スラリー体がガス化する（ガス化が可能となる）温度）まで昇温する装置である。ガス化反応器５は、このスラリー体をガス化反応温度で一定に保持する装置である。ガス化反応が完了した流体は、その後気液分離され、気体分が燃料ガスとして利用される。【０００５】
ここで、熱交換器３としては、例えば二重管式熱交換器が用いられる。図８は、この二重管式熱交換器が備える二重管６の構成を説明する図である。同図に示すように、二重管６では、内側の配管７の内側に低温流路８が区画され、外側の配管９と内側の配管７の間に高温流路１１が区画されている。低温流路８には、スラリー体１３が流通される。一方、高温流路１１には、スラリー体１３と熱交換される高温流体１４が、スラリー体１３とは反対方向に流通される。そして、低温流路８の導入口１２から導入されたスラリー体１３は、高温流体１４と熱交換しながら加熱され、排出口１５から排出される。【０００６】
図９は、この二重管６を備えた熱交換器３における、スラリー体１３の温度の変化、及び高温流体１４の温度の変化の一例を示した図である。この図において、縦軸は流体の温度を示し、横軸は二重管６の距離を示している。二重管６の距離について補足すると、この二重管６の距離は、内側の配管７における導入口１２の位置を０とし、排出口１５の位置を１００として表した場合の、導入口１２からの距離である。【０００７】
図９に示すように、常温で導入口１２に導入されたスラリー体１３は昇温されるが、熱交換器３の中間部分１６（スラリー体１３の温度が約３８０℃となり、導入口１２からの距離が約３０〜約７０までの部分）においては、スラリー体１３の昇温速度が極めて遅いことが分かる。同様に、高温流体１４についても中間部分１６においては温度変化が殆ど見られず、その温度はスラリー体１３とほぼ同じである約３８０℃でとなっている。【０００８】
このように、中間部分１６におけるスラリー体１３と高温流体１４の温度変化が、他の部分に比べて小さくなっている理由は、中間部分１６におけるスラリー体１３及び高温流体１４の定圧比熱が高くなっているためと考えられる。【０００９】
すなわち、熱交換器３の内部圧力は高圧（例えば２５ＭＰａ）であるが、このような高圧下ではスラリー体１３や高温流体１４の定圧比熱は臨界温度付近（約３８０℃）において特異的に高いピーク値をとることが知られている。なお、実際には高温流体１４の定圧比熱は二重管６における圧力損失のためスラリー体１３の定圧比熱よりも少し低い温度でピークとなる。このため、中間部分１６ではスラリー体１３と高温流体１４との間の温度差が極小化し、単位伝熱面積当たりの交換熱量が中間部分以外の部分である熱交換器３の低温部分１７および高温部分１８に比べて小さくなる。その結果、スラリー体１３が昇温されにくい状態となっている。【００１０】
また、この中間部分１６ではバイオマスの成分に由来するタールが生成され易いことが知られている。生成されたタールは、内側の配管７の内壁に付着して熱通過率を低下させ、当該配管を閉塞させるのでスラリー体１３の流通を妨げ、さらに単位伝熱面積当たりの交換熱量を減少させる原因となっている。【００１１】
本発明はこのような現状に鑑みてなされたものであり、その目的は、バイオマスのガス化を効率よく行うためのガス化システムを提供することにある。
【課題を解決するための手段】
【００１２】
前記目的を達成するため、本発明は、バイオマスを調製して生成されたスラリー体を、超臨界状態で分解処理して燃料ガスを生成するガス化システムであって、超臨界状態の高温流体が導入され、前記高温流体と前記スラリー体とを熱交換することで前記スラリー体を加熱する熱交換器と、前記熱交換器から送出された前記スラリー体を加熱し、前記超臨界状態の高温流体を生成するガス化反応器とを備え、前記熱交換器は、高温流路及び低温流路によって構成され、前記高温流路には、前記ガス化反応器で生成された前記高温流体を流通させ、前記低温流路は、前記スラリー体を流通させる第１ブロックと、別系統の熱機関で利用される、前記高温流体よりも低圧の流体を流通させる第２ブロックとに分割され、前記第１ブロックは、定圧比熱が所定値以下となる温度域で前記スラリー体と前記高温流体とが熱交換されるように設けられ、前記第２ブロックは、前記第１ブロック以外の部分に設けられる。【００１３】
本発明のガス化システムでは、低温流路が、スラリー体を流通させる第１ブロックと、別系統の熱機関で利用される、高温流体よりも低圧の流体を流通させる第２ブロックとに分割されている。さらにこのシステムでは、定圧比熱が所定値以下となる温度域でスラリー体と高温流体とが熱交換可能なように、第１ブロックが設けられている。このため、高温流体からスラリー体へ移動した熱によって、スラリー体の温度を効率よく上昇させることができる。すなわち、熱交換器における高温流体とスラリー体との間の温度交換性能が高い部分を活用することができる。その結果、バイオマスのガス化を効率よく行うことができる。さらに、第１ブロック以外の部分には第２ブロックが配置されているので、高温流体が有する熱エネルギーを、別の熱機関の熱源として無駄なく利用できる。【００１４】
前述のガス化システムにおいて、前記別系統の熱機関で利用される前記流体は水蒸気であり、前記別系統の熱機関は、前記第２ブロックを流通することで生成された水蒸気を動力とする蒸気タービンを含むことが好ましい。この構成では、高温流体から供給される熱エネルギーを蒸気タービンの動力として有効利用できる。【００１５】
前述のガス化システムにおいて、前記ガス化反応器から排出される排ガスが流通され、前記蒸気タービンでの仕事を終えた水蒸気の凝集で得られた水と前記排ガスとを熱交換させる排気ダクトを備えることが好ましい。この構成では、ガス化反応器から排出される排ガスの熱エネルギーを蒸気タービンの動力として有効利用できる。
【発明の効果】
【００１６】
本発明のガス化システムによれば、バイオマスのガス化を効率よく行える。
【図面の簡単な説明】
【００１７】
【図１】第１実施形態に係るガス化システムの構成を説明する図である。
【図２】二重管式熱交換器における高温流体、スラリー体、及び、動力用蒸気の温度変化を例示した図である。
【図３】水における温度、圧力、及び定圧比熱の関係を示すグラフである。
【図４】スラリー体における定圧比熱と温度の関係を示すグラフである。
【図５】第２実施形態に係るガス化システムの構成を説明する図である。
【図６Ａ】熱交換器の第１変形例を説明する図である。
【図６Ｂ】熱交換器の第２変形例を説明する図である。
【図７】一般的なバイオマスガス化発電システムを説明する図である。
【図８】二重管式熱交換器における二重管の構成を説明する図である。
【図９】二重管式熱交換器における高温流体及びスラリー体の温度変化を例示した図である。
【発明を実施するための形態】
【００１８】
以下、本発明の実施の形態について説明する。まず、第１実施形態について説明する。図１は、第１実施形態に係るガス化システム１０の構成を説明する図である。このガス化システム１０では、原料である焼酎残渣、採卵鶏糞、汚泥等のバイオマスからスラリー体を調製し、調製したスラリー体を加熱加圧することにより燃焼ガスを生成する。同図に示すように、ガス化システム１０は、原料調製部２０、熱処理部３０、及びガス処理部４０を有する。
【００１９】
原料調製部２０は、バイオマスからスラリー体を調製する部分である。原料調製部は、調製タンク２１、粉砕機２２、供給ポンプ２３、及び熱交換器導入ポンプ２４を備える。
【００２０】
調製タンク２１は、バイオマスと、水と、活性炭（非金属系触媒の一種）を混合するための容器である。この調製タンク２１では、バイオマス、水、及び、活性炭が混合された混合物が調製される。活性炭は、例えば平均粒径２００μｍ以下の多孔質の粒子を用いる。なお、バイオマスと、水と、活性炭の混合割合は、バイオマスの種類、量、含水率などに応じて適宜調節される。
【００２１】
粉砕機２２は、調製タンク２１で調整された混合物の固形分を破砕し、均一な大きさ（好ましくは平均粒径が５００μｍ以下、より好ましくは平均粒径が３００μｍ以下）にするための装置である。この粉砕機２２で処理されることにより、混合物はスラリー状のスラリー体となる。
【００２２】
供給ポンプ２３は、粉砕機２２から排出されたスラリー体を熱交換器導入ポンプ２４に供給する。熱交換器導入ポンプ２４は、供給ポンプ２３から送られてきたスラリー体を加圧して熱処理部３０に供給する。この熱交換器導入ポンプ２４により、スラリー体は０．１〜４ＭＰａ程度まで加圧される。
【００２３】
熱処理部３０は、原料調製部２０で調製されたスラリー体を加熱し、ガス化する部分である。この熱処理部３０は、熱交換器３１、加熱器３２、ガス化反応器３３、発電部３４を備える。
【００２４】
熱交換器３１は、原料調製部２０から送られてきたスラリー体を加熱する装置である。熱交換器３１は、二重管を備える二重管式熱交換器であり、低温流路３６と高温流路３７を備える。低温流路３６は、原料調製部２０から送られてきたスラリー体が流通する第１ブロック３６ａと、発電部３４の動力となる十数ＭＰａ程度の動力用蒸気が流通する第２ブロック３６ｂとに分割されている。一方、高温流路３７には、ガス化反応器３３で生成された超臨界状態の高温流体（以下、処理後流体ともいう。後述）が導入され、この処理後流体が流通する。そして、高温流路３７を流れる処理後流体と、第１ブロック３６ａを流れるスラリー体や第２ブロック３６ｂを流れる動力用蒸気とが熱交換される。なお、熱交換器３１については、後で説明する。
【００２５】
加熱器３２は、熱交換器３１から送られてくるスラリー体を加熱する装置である。加熱器３２は燃焼装置３２ａを備え、燃焼装置３２ａは、プロパンガス等の液化石油ガスや空気に、ガス処理部４０から送られてくる燃焼ガスを導入して燃焼させ、これによりスラリー体を加熱する。これにより、加熱器３２に導入されたスラリー体は、例えば約６００℃程度までに昇温される。昇温されたスラリー体は、ガス化反応器３３に送出される。
【００２６】
ガス化反応器３３は、加熱器３２から送られてきたスラリー体をガス化反応温度（スラリー体がガス化する（ガス化が可能となる）温度）で一定に保持し、スラリー体に含まれる有機物を水熱処理する装置である。ガス化反応器３３は燃焼装置３３ａを備え、燃焼装置３３ａは、液化石油ガスや空気に、ガス処理部４０から送られてくる燃焼ガスを導入して燃焼させ、スラリー体を水熱処理する。この水熱処理においてスラリー体は、例えば６００℃、２５ＭＰａの条件下で、１〜２分間にわたって水熱処理される。水熱処理されたスラリー体はガス化反応が進行したのち、処理後流体として、熱交換器３１の高温流路３７へ送出される。
【００２７】
発電部３４は、熱交換器３１で生成された動力用蒸気を用いて発電を行う部分であり、別系統の熱機関に相当する。この発電部３４は、蒸気タービン５１、発電機５２、復水器５３、及びポンプ５４を備える。蒸気タービン５１は、熱交換器３１で生成された動力用蒸気で仕事（回転運動）をする装置である。発電機５２は、蒸気タービン５１の回転によって発電をする装置である。復水器５３は、蒸気タービンでの仕事を終えた水蒸気を凝縮させる装置である。ポンプ５４は、凝集で得られた水を熱交換器３１へ送出する装置である。
【００２８】
この発電部３４では、熱交換器３１（第２ブロック３６ｂ）で生成された動力用蒸気によって蒸気タービン５１に仕事をさせ、発電機５２から電力を得ている。そして、仕事を終えた水蒸気を復水器５３で凝縮させ、得られた水を熱交換器３１へ送出することで、動力用蒸気を生成させている。
【００２９】
ガス処理部４０は、熱交換器３１から送出された処理後流体から燃料ガスを取り出す部分である。このガス処理部４０は、減圧機構４１、冷却機構４２、気液分離器４３、及びガスタンク４４を備える。
【００３０】
減圧機構４１は、熱交換器３１から送出された処理後流体を減圧する装置である。冷却機構４２は、減圧機構４１から送られてきた処理後流体を冷却する装置である。気液分離器４３は、冷却機構４２で冷却された処理後流体を、液体（活性炭や灰分を含む液体）と、気体（水素やメタン等のガス）とに分離する装置である。このうち液体は排液として処理され、気体はガスタンク４４に送られる。
【００３１】
ガスタンク４４は、気液分離器４３で分離した気体（生成ガス）を貯留する容器である。ガスタンク４４に貯留された生成ガスの一部は、加熱器３２、及びガス化反応器３３に供給され、燃料ガスとして消費される。なお、この燃料ガスは、発電や動力源として用いることもできる。
【００３２】
次に、熱交換器３１について説明する。前述したように、本実施形態の熱交換器３１では、低温流路３６を、スラリー体が流通する第１ブロック３６ａと動力用蒸気が流通する第２ブロック３６ｂに分割している。そして、第２ブロック３６ｂを高温流路３７の上流側（高温側）に配置し、第１ブロック３６ａを高温流路３７の下流側（低温側）に配置している。
【００３３】
これにより、図２に示すように、熱交換器３１におけるスラリー体の導入口（距離０）から距離Ｌ１までの区間では、高温流体（すなわち処理後流体）とスラリー体との間で熱交換が行われ、処理後流体から移動した熱によってスラリー体が加熱される。同様に、距離Ｌ１よりも後の距離Ｌ２から処理後流体の導入口（距離１００）までの区間では、発電部３４で用いられる流体との間で熱交換が行われる。
【００３４】
この区間では、発電部３４のポンプ５４から送出された水が処理後流体からの熱によって蒸発し、動力用蒸気が生成される。生成された動力用蒸気は、処理後流体からの熱によって加熱され、温度と圧力が高められる。ここで、動力用蒸気の圧力は、処理後流体の圧力よりも十分に低く、例えば十数ＭＰａ程度である。このため、ポンプ５４から送出された水や動力用蒸気は、処理後流体からの熱を吸収して速やかに昇温される。
【００３５】
そして、低温流路３６における第１ブロック３６ａと第２ブロック３６ｂの長さの比率は、スラリー体の最終加熱温度Ｔ１に基づいて定められる。以下、この点について説明する。
【００３６】
図３は、水における温度、圧力、及び定圧比熱の関係を示すグラフである。このグラフより、超高圧の下で水は、擬臨界点と呼ばれる特定の温度範囲（約３７０℃から約４００℃の範囲）の定圧比熱が急激に高くなることが判る。そして、水を主たる成分として含むスラリー体もまた、同様の特性を有している。
【００３７】
図４は、２５ＭＰａの下でのスラリー体における定圧比熱と温度の関係を概念的に示すグラフである。同図に示すように、このスラリー体では、温度ＴＰにて定圧比熱がピーク値ＳＨＰを示している。そして、定圧比熱が高くなり過ぎると、熱の吸収や放出があっても温度の変化が生じ難くなる。そこで、本実施形態では、定圧比熱が所定値ＳＨ１以下となる温度域（温度Ｔ１以下の範囲）でスラリー体と処理後流体とが熱交換されるように、第１ブロック３６ａを高温流路３７の下流側に配置している。
【００３８】
この構成では、処理後流体からスラリー体へ移動した熱によってスラリー体が加熱され、温度が上昇される。ここで、定圧比熱が所定値ＳＨＰ以下となる温度Ｔ１までの範囲で熱交換を行わせているので、スラリー体を温度Ｔ１まで効率よく加熱することができる。言い換えれば、熱交換器における処理後流体とスラリー体との間の温度交換性能が高い部分を活用することができる。その結果、バイオマスのガス化を効率よく行うことができる。また、第２ブロック３６ｂが高温流路３７の上流側に配置されているので、処理後流体が有する熱エネルギーのうち、スラリー体の加熱に使われない部分を利用し、発電部３４で使用される十数ＭＰａ程度の動力用蒸気を生成できる。
【００３９】
次に、図５を参照し、第２実施形態について説明する。同図に示すように、この第２実施形態では、発電部３４に関し、復水器５３とポンプ５４とを接続する配管の途中に排ガスダクト５５を設け、ガス化反応器３３からの排ガスを排ガスダクト５５に導入している点に特徴を有している。なお、他の構成については第１実施形態と同じであるので、その説明は省略する。
【００４０】
この第２実施形態では、ガス化反応器３３からの排ガスと復水器５３からの水とを排ガスダクト５５で熱交換し、復水器５３からの水を加熱している。加熱された水は、ポンプ５４によって熱交換器３１に送出され、動力用蒸気が生成される。この構成では、ガス化反応器３３から排出される排ガスの熱エネルギーを蒸気タービンの動力として有効利用できる。
【００４１】
以上の実施形態の説明は、本発明の理解を容易にするためのものであり、本発明を限定するものではない。本発明はその趣旨を逸脱することなく、変更、改良され得ると共に本発明にはその等価物が含まれる。例えば、次のように構成してもよい。
【００４２】
例えば、バイオマスの原料は、焼酎残渣以外であってもよく、例えば、採卵鶏糞、下水汚泥他の含水性バイオマスでもよい。
【００４３】
また、上記の各実施形態では、スラリー体を生成する際に水や触媒を混合することとしたが、これらは混合しなくてもよい。
【００４４】
また、図６Ａに示すように、熱交換器３１に関し、スラリー体の定圧比熱がピークとなる温度域である低温流路３６の中間部分に第２ブロック３６ｂを配置し、低温流路３６の低温側部分と高温側部分のそれぞれに第１ブロック３６ａを配置してもよい。
【００４５】
また、図６Ｂに示すように、熱交換器３１に関し、スラリー体の定圧比熱がピークとなる低温流路３６の中間部分から低温側部分に亘って第２ブロック３６ｂを配置し、低温流路３６の高温側部分に第１ブロック３６ａを配置してもよい。
【００４６】
要するに、熱交換器３１の低温流路３６に関して、スラリー体が流通する第１ブロック３６ａは、スラリー体の定圧比熱が所定値以下となる温度域で、スラリー体と処理後流体とが熱交換されるように設けられていればよく、別系統の熱機関で使用する低圧の流体が流通する第２ブロック３６ｂは、低温流路３６における第１ブロック３６ａ以外の部分に設けられていればよい。
【００４７】
加えて、熱交換器を、第１熱交換器と第２熱交換器とに分けて構成してもよい。この場合、第１熱交換器では、処理後流体と第１ブロック３６ａの間で熱交換をさせ、第２熱交換器では、処理後流体と第２ブロック３６ｂの間で熱交換をさせればよい。
【００４８】
また、別系統の熱機関に関し、前述の実施形態では発電部３４を例示したが、高温流路３７を流れる処理後流体の熱を利用するものであれば、加熱設備や化学反応設備や他の種類の熱機関であってもよい。この場合、別系統の熱機関で使用される流体も水蒸気に限られない。処理後流体よりも低い圧力の流体であればよい。
【符号の説明】
【００４９】
２…ガス化システム、３…熱交換器、４…加熱器、５…ガス化反応器、６…二重管、７…内側の配管、８…低温流路、９…外側の配管、１０…ガス化システム、１１…高温流路、１２…導入口、１３…スラリー体、１４…高温流体、１５…排出口、１６…中間部分、１７…低温部分、１８…高温部分、２０…原料調製部、２１…調製タンク、２２…粉砕機、２３…供給ポンプ、２４…熱交換器導入ポンプ、３０…熱処理部、３１…熱交換器、３２…加熱器、３２ａ…燃焼装置、３３…ガス化反応器、３３ａ…燃焼装置、３４…発電部、３５…ボイラ、３６…低温流路、３６ａ…低温流路の第１ブロック、３６ｂ…低温流路の第２ブロック、３７…高温流路、４０…ガス処理部、４１…減圧機構、４２…冷却機構、４３…気液分離器、４４…ガスタンク、５１…蒸気タービン、５２…発電機、５３…復水器、５４…ポンプ、５５…排ガスダクト
【図１】
2016139723.tif 000003
【図２】
2016139723.tif 000004
【図４】
2016139723.tif 000005
【図５】
2016139723.tif 000006
【図６Ａ】
2016139723.tif 000007
【図６Ｂ】
2016139723.tif 000008
【図７】
2016139723.tif 000009
【図８】
2016139723.tif 000010
【図９】
2016139723.tif 000011
【図３】
2016139723.tif 000012
【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
バイオマスを調製して生成されたスラリー体を、超臨界状態で分解処理して燃料ガスを生成するガス化システムであって、
超臨界状態の高温流体が導入され、前記高温流体と前記スラリー体とを熱交換することで前記スラリー体を加熱する熱交換器と、
前記熱交換器から送出された前記スラリー体を加熱し、前記超臨界状態の高温流体を生成するガス化反応器とを備え、
前記熱交換器は、高温流路及び低温流路によって構成され、
前記高温流路には、前記ガス化反応器で生成された前記高温流体を流通させ、
前記低温流路は、前記スラリー体を流通させる第１ブロックと、別系統の熱機関で利用される、前記高温流体よりも低圧の流体を流通させる第２ブロックとに分割され、
前記第１ブロックは、前記スラリー体の定圧比熱が、前記スラリー体の擬臨界点における定圧比熱の値以下となる温度域で前記スラリー体と前記高温流体とが熱交換されるように設けられ、
前記第２ブロックは、前記第１ブロック以外の部分に設けられる、ガス化システム。
【請求項２】
前記別系統の熱機関で利用される前記流体は水蒸気であり、
前記別系統の熱機関は、前記第２ブロックを流通することで生成された水蒸気を動力とする蒸気タービンを含む、請求項１に記載のガス化システム。
【請求項３】
前記ガス化反応器が備える燃焼装置から排出される排ガスが流通され、前記蒸気タービンでの仕事を終えた水蒸気の凝集で得られた水と前記排ガスとを熱交換させる排気ダクトを備える、請求項２に記載のガス化システム。
【手続補正２】
【補正対象書類名】明細書
【補正対象項目名】００１２
【補正方法】変更
【補正の内容】
【００１２】
前記目的を達成するため、本発明は、バイオマスを調製して生成されたスラリー体を、超臨界状態で分解処理して燃料ガスを生成するガス化システムであって、超臨界状態の高温流体が導入され、前記高温流体と前記スラリー体とを熱交換することで前記スラリー体を加熱する熱交換器と、前記熱交換器から送出された前記スラリー体を加熱し、前記超臨界状態の高温流体を生成するガス化反応器とを備え、前記熱交換器は、高温流路及び低温流路によって構成され、前記高温流路には、前記ガス化反応器で生成された前記高温流体を流通させ、前記低温流路は、前記スラリー体を流通させる第１ブロックと、別系統の熱機関で利用される、前記高温流体よりも低圧の流体を流通させる第２ブロックとに分割され、前記第１ブロックは、前記スラリー体の定圧比熱が、前記スラリー体の擬臨界点における定圧比熱の値以下となる温度域で前記スラリー体と前記高温流体とが熱交換されるように設けられ、前記第２ブロックは、前記第１ブロック以外の部分に設けられる。
【手続補正３】
【補正対象書類名】明細書
【補正対象項目名】００１５
【補正方法】変更
【補正の内容】
【００１５】
前述のガス化システムにおいて、前記ガス化反応器が備える燃焼装置から排出される排ガスが流通され、前記蒸気タービンでの仕事を終えた水蒸気の凝集で得られた水と前記排ガスとを熱交換させる排気ダクトを備えることが好ましい。この構成では、ガス化反応器から排出される排ガスの熱エネルギーを蒸気タービンの動力として有効利用できる。
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
バイオマスを調製して生成されたスラリー体を、超臨界状態で分解処理して燃料ガスを生成するガス化システムであって、
超臨界状態の高温流体が導入され、前記高温流体と前記スラリー体とを熱交換することで前記スラリー体を加熱する熱交換器と、
前記熱交換器から送出された前記スラリー体を加熱し、前記超臨界状態の高温流体を生成するガス化反応器とを備え、
前記熱交換器は、高温流路及び低温流路によって構成され、
前記高温流路には、前記ガス化反応器で生成された前記高温流体を流通させ、
前記低温流路は、前記スラリー体を流通させる第１ブロックと、別系統の熱機関で利用される、前記高温流体よりも低圧の流体を流通させる第２ブロックとに分割され、
前記第１ブロックは、前記低温流路を流通し、前記高温流体と熱交換される前記スラリー体の温度が、前記スラリー体の擬臨界温度以下である部分であり、
前記第２ブロックは、前記第１ブロック以外の部分に設けられる、ガス化システム。
【請求項２】
前記別系統の熱機関で利用される前記流体は水蒸気であり、
前記別系統の熱機関は、前記第２ブロックを流通することで生成された水蒸気を動力とする蒸気タービンを含む、請求項１に記載のガス化システム。
【請求項３】
前記ガス化反応器が備える燃焼装置から排出される排ガスが流通され、前記蒸気タービンでの仕事を終えた水蒸気の凝集で得られた水と前記排ガスとを熱交換させる排気ダクトを備える、請求項２に記載のガス化システム。
【国際調査報告】
2016139723.tif 000013
2016139723.tif 000014